(57)【特許請求の範囲】
【請求項１】
通信網を介して、他情報処理装置との通信を行う第１の通信部と、
電磁誘導により、電子機器との通信を行う第２の通信部と、
前記第２の通信部が通信を行った電子機器の種類を分類する分類部と、
前記分類された電子機器の種類に基づいて、複数記憶されたメッセージから前記他情報処理装置へ送信するメッセージを決定する決定部と、を備え、
前記決定部は、前記第２の通信部が前記電子機器と再び通信を行った場合、前記他情報処理装置へ送信するメッセージを変更する、
ことを特徴とする情報処理装置。
【請求項２】
通信網を介して、他情報処理装置との通信を行う第１の通信部と、
電磁誘導により、電子機器との通信を行う第２の通信部と、
前記第２の通信部が通信を行った電子機器の種類を分類する分類部と、
前記分類された電子機器の種類に基づいて、複数記憶されたメッセージから前記他情報処理装置へ送信するメッセージを決定する決定部と、を備え、
前記決定部は、前記第２の通信部が前記電子機器と通信を行ってから所定の時間が経過した場合、前記他情報処理装置へ送信するメッセージを変更する、
ことを特徴とする情報処理装置。
【請求項３】
前記第１の通信部が通信した他情報処理装置を特定する装置特定部をさらに備え、
前記決定部は、前記分類された電子機器の種類と、前記特定された他情報処理装置と、に基づいて、当該他情報処理装置へ送信するメッセージを決定する、
ことを特徴とする請求項１又は２に記載の情報処理装置。
【請求項４】
前記分類部は、前記第２の通信部が通信を行った電子機器の種類を、優先度順に分類し、
前記決定部は、前記分類された優先度に基づいて、前記他情報処理装置へ送信するメッセージを決定する、
ことを特徴とする請求項１乃至３のいずれか１項に記載の情報処理装置。
【請求項５】
通信網を介して、他情報処理装置との通信を行う第１の通信工程と、
電磁誘導により、電子機器との通信を行う第２の通信工程と、
前記第２の通信工程により通信が行われた電子機器の種類を分類する分類工程と、
前記分類された電子機器の種類に基づいて、複数記憶されたメッセージから前記他情報処理装置へ送信するメッセージを決定する決定工程と、を備え、
前記決定工程では、前記第２の通信工程において前記電子機器と再び通信を行った場合、前記他情報処理装置へ送信するメッセージを変更する、
ことを特徴とする情報処理方法。
【請求項６】
通信網を介して、他情報処理装置との通信を行う第１の通信工程と、
電磁誘導により、電子機器との通信を行う第２の通信工程と、
前記第２の通信工程により通信が行われた電子機器の種類を分類する分類工程と、
前記分類された電子機器の種類に基づいて、複数記憶されたメッセージから前記他情報処理装置へ送信するメッセージを決定する決定工程と、を備え、
前記決定工程では、前記第２の通信工程において前記電子機器と通信を行ってから所定の時間が経過した場合、前記他情報処理装置へ送信するメッセージを変更する、
ことを特徴とする情報処理方法。
【請求項７】
コンピュータを、
通信網を介して、他情報処理装置との通信を行う第１の通信部、
電磁誘導により、電子機器との通信を行う第２の通信部、
前記第２の通信部が通信を行った電子機器の種類を分類する分類部、
前記分類された電子機器の種類に基づいて、複数記憶されたメッセージから前記他情報処理装置へ送信するメッセージを決定する決定部、として機能させ、
前記決定部は、前記第２の通信部が前記電子機器と再び通信を行った場合、前記他情報処理装置へ送信するメッセージを変更する、
ことを特徴とするプログラム。
【請求項８】
コンピュータを、
通信網を介して、他情報処理装置との通信を行う第１の通信部、
電磁誘導により、電子機器との通信を行う第２の通信部、
前記第２の通信部が通信を行った電子機器の種類を分類する分類部、
前記分類された電子機器の種類に基づいて、複数記憶されたメッセージから前記他情報処理装置へ送信するメッセージを決定する決定部、として機能させ、
前記決定部は、前記第２の通信部が前記電子機器と通信を行ってから所定の時間が経過した場合、前記他情報処理装置へ送信するメッセージを変更する、
ことを特徴とするプログラム。
【発明の詳細な説明】
【技術分野】
【０００１】
本発明は、非接触式ＩＣカード機能が利用された機器の種類に応じて、適切な応答メッセージを発信する情報処理装置、情報処理方法、及び、プログラムに関する。
【背景技術】
【０００２】
携帯端末機が電波の届かない範囲にある場合や携帯端末機の電源が切られている場合、当該携帯端末機に対して発信したユーザに対して、携帯端末機が電波の届かない範囲にいる旨、又は、携帯端末機の電源が切られている旨等の応答メッセージを発信するサービスが知られている。また、携帯端末機が非接触式ＩＣ（Integrated Circuit）カード機能を備え、当該機能を、いわゆる電子チケットとして機能させ、催し物会場やコンサート会場等への入場の可否を判別する手法が知られている。例えば、特許文献１には、非接触式ＩＣカード機能を備える携帯端末機を所有するユーザが、当該機能を利用してコンサート会場に入場した場合、当該携帯端末機に受信があった際に、電話に出ることができない旨等の応答メッセージを自動的に発信する技術が開示されている。
【先行技術文献】
【特許文献】
【０００３】
【特許文献１】特開２００３−６９６７０号公報
【発明の概要】
【発明が解決しようとする課題】
【０００４】
しかしながら、特許文献１に開示されている構成では、非接触式ＩＣカード機能が利用された機器の種類に関わらず、一律な応答メッセージが発信されていたため、利便性が悪い場合があった。そこで、非接触式ＩＣカード機能が利用された機器の種類に応じて、適切な応答メッセージを発信する新たな手法が求められている。
【０００５】
本発明は、上記問題に鑑みてなされたものであり、非接触式ＩＣカード機能が利用された機器の種類に応じて、適切な応答メッセージを発信する情報処理装置、情報処理方法、及び、プログラムを提供することを目的とする。
【課題を解決するための手段】
【０００６】
上記目的を達成するため、本発明の第１の観点に係る情報処理装置は、
通信網を介して、他情報処理装置との通信を行う第１の通信部と、
電磁誘導により、電子機器との通信を行う第２の通信部と、
前記第２の通信部が通信を行った電子機器の種類を分類する分類部と、
前記分類された電子機器の種類に基づいて、複数記憶されたメッセージから前記他情報処理装置へ送信するメッセージを決定する決定部と、を備え、
前記決定部は、前記第２の通信部が前記電子機器と再び通信を行った場合、前記他情報処理装置へ送信するメッセージを変更する、
ことを特徴とする。
上記目的を達成するため、本発明の第２の観点に係る情報処理装置は、
通信網を介して、他情報処理装置との通信を行う第１の通信部と、
電磁誘導により、電子機器との通信を行う第２の通信部と、
前記第２の通信部が通信を行った電子機器の種類を分類する分類部と、
前記分類された電子機器の種類に基づいて、複数記憶されたメッセージから前記他情報処理装置へ送信するメッセージを決定する決定部と、を備え、
前記決定部は、前記第２の通信部が前記電子機器と通信を行ってから所定の時間が経過した場合、前記他情報処理装置へ送信するメッセージを変更する、
ことを特徴とする。
【０００７】
上記目的を達成するため、本発明の第３の観点に係る情報処理方法は、
通信網を介して、他情報処理装置との通信を行う第１の通信工程と、
電磁誘導により、電子機器との通信を行う第２の通信工程と、
前記第２の通信工程により通信が行われた電子機器の種類を分類する分類工程と、
前記分類された電子機器の種類に基づいて、複数記憶されたメッセージから前記他情報
処理装置へ送信するメッセージを決定する決定工程と、を備え、
前記決定工程では、前記第２の通信工程において前記電子機器と再び通信を行った場合、前記他情報処理装置へ送信するメッセージを変更する、
ことを特徴とする。
上記目的を達成するため、本発明の第４の観点に係る情報処理方法は、
通信網を介して、他情報処理装置との通信を行う第１の通信工程と、
電磁誘導により、電子機器との通信を行う第２の通信工程と、
前記第２の通信工程により通信が行われた電子機器の種類を分類する分類工程と、
前記分類された電子機器の種類に基づいて、複数記憶されたメッセージから前記他情報
処理装置へ送信するメッセージを決定する決定工程と、を備え、
前記決定工程では、前記第２の通信工程において前記電子機器と通信を行ってから所定の時間が経過した場合、前記他情報処理装置へ送信するメッセージを変更する、
ことを特徴とする情報処理方法。
【０００８】
上記目的を達成するため、本発明の第５の観点に係るプログラムは、
コンピュータを、
通信網を介して、他情報処理装置との通信を行う第１の通信部、
電磁誘導により、電子機器との通信を行う第２の通信部、
前記第２の通信部が通信を行った電子機器の種類を分類する分類部、
前記分類された電子機器の種類に基づいて、複数記憶されたメッセージから前記他情報処理装置へ送信するメッセージを決定する決定部、として機能させ、
前記決定部は、前記第２の通信部が前記電子機器と再び通信を行った場合、前記他情報処理装置へ送信するメッセージを変更する、
ことを特徴とする。
上記目的を達成するため、本発明の第６の観点に係るプログラムは、
コンピュータを、
通信網を介して、他情報処理装置との通信を行う第１の通信部、
電磁誘導により、電子機器との通信を行う第２の通信部、
前記第２の通信部が通信を行った電子機器の種類を分類する分類部、
前記分類された電子機器の種類に基づいて、複数記憶されたメッセージから前記他情報処理装置へ送信するメッセージを決定する決定部、として機能させ、
前記決定部は、前記第２の通信部が前記電子機器と通信を行ってから所定の時間が経過した場合、前記他情報処理装置へ送信するメッセージを変更する、
ことを特徴とする。
【発明の効果】
【０００９】
本発明によれば、非接触式ＩＣカード機能が利用された機器の種類に応じて、適切な応答メッセージを発信することができる。
【図面の簡単な説明】
【００１０】
【図１】本発明の実施形態１に係る情報処理装置の構成を示すブロック図である。
【図２】情報処理装置にて行われる通信の概略を示す図である。
【図３】記憶部に記憶されるメッセージの例を示す図である。
【図４】記憶部に記憶される電子機器の情報の例を示す図である。
【図５】実施形態１に係る対応表の例を示す図である。
【図６】実施形態１に係るメッセージの決定処理を説明するためのフローチャートである。
【図７Ａ】電子機器の型番と電子機器の種類とが対応付けられた対応情報の例を示す図である。
【図７Ｂ】電子機器の設置場所と電子機器の種類とが対応付けられた対応情報の例を示す図である。
【図８】本発明の実施形態２に係る情報処理装置の構成を示すブロック図である。
【図９】実施形態２に係る対応表の例を示す図である。
【図１０】実施形態２に係るメッセージの決定処理を説明するためのフローチャートである。
【発明を実施するための形態】
【００１１】
（実施形態１）
以下に本発明の実施形態を説明する。各種のコンピュータ、ＰＤＡ（Personal Digital Assistant）、携帯端末機などの情報処理装置において本発明を適用することができる。すなわち、以下に記載する実施形態は説明のためのものであり、本願発明の範囲を制限するものではない。したがって、当業者であればこれらの各要素または全要素をこれと均等なものに置換した実施形態を採用することが可能であるが、これらの実施形態も本発明の範囲に含まれる。
【００１２】
図１は、本発明の実施形態１に係る情報処理装置の構成を示すブロック図である。情報処理装置１００は、第１の通信部１１０、第２の通信部１２０、記憶部１３０、表示部１４０、受付部１５０、制御部１６０等を備える。以下に、情報処理装置１００が備える各構成要素について説明する。
【００１３】
第１の通信部１１０は、例えば、無線アクセスに利用されるアンテナ、通信用の無線通信回路等から構成され、所定の通信プロトコルに沿って、アンテナを介して、基地局と情報処理装置１００との間で無線通信を行う。第１の通信部１１０により、情報処理装置１００の基本機能の１つである音声通信やデータ通信が実現される。
【００１４】
第２の通信部１２０は、例えば、コイルアンテナ、メモリ、通信回路等から構成され、所定の通信プロトコルに沿って、コイルアンテナを介して、ＩＣリーダライタとして機能する電子機器との間で微弱電波による電磁誘導により、近距離通信を行う。第２の通信部１２０は、いわゆる非接触式ＩＣカード機能を備え、料金の支払いを行う電子マネー支払い機能や、特定施設（例えば、交通機関、映画館、遊園地、会社等）の入場／退場を検出する電子乗車券機能を備える。
【００１５】
図２は、情報処理装置１００にて行われる通信の概略を示す図である。同図に示すように、情報処理装置１００が備える第１の通信部１１０は、任意の基地局との間で通信経路を確立し、通信網を介して、他の情報処理装置１０１との間で、通信を行う。第１の通信部１１０は、記憶部１３０に記憶される後述するメッセージを、他の情報処理装置１０１に送る。そして、他の情報処理装置１０１を所有するユーザは、情報処理装置１００から送信されたメッセージを確認することにより、情報処理装置１００を所有するユーザがおかれた状態を知ることになる。
【００１６】
情報処理装置１００が備える第２の通信部１２０は、ＩＣリーダライタとして機能する電子機器１０２との間で、電磁誘導により通信を行う。電子機器１０２は、例えば、電子マネー支払い機能を備える端末機器、○○駅に設置された電車等への入場／退場を検出する機器、映画館への入場許可を検出する機器、コンサート会場への入場許可を検出する機器、もしくは、会社の入場／退場を検出する機器等、任意の機器である。第２の通信部１２０は、特定施設への入場／退場を検出し、通信を行った電子機器１０２から、例えば、電子機器１０２の型番、電子機器１０２の設置場所、通信日時等を受信し、当該受信した情報を記憶部１３０に記憶させる。
【００１７】
図１に戻って、記憶部１３０は、例えば、フラッシュメモリなどの不揮発性メモリ、ＲＡＭ（Random Access Memory）等から構成され、制御部１６０が実行する動作プログラム（アプリケーション）の他、各処理の実行に必要なデータや各処理の実行によって生成されたデータなどを格納する。
【００１８】
記憶部１３０に格納される動作プログラムは、情報処理装置１００の基本動作を司る任意の基本プログラム（すなわち、ＯＳ（Operating System））などの他に、後述する各処理を実現するための動作プログラム（アプリケーションプログラムなど）が格納されている。後述する情報処理装置１００による処理は、制御部１６０がこれらの動作プログラムを実行することで実現される。
【００１９】
また、記憶部１３０は、第１の通信部１１０を介して、他の情報端末装置１０１に送信される、音声及び／又は文字から構成される複数のメッセージを記憶する。図３は、記憶部１３０に記憶されるメッセージ１３１の例を示す図である。同図に示すように、例えば、記憶部１３０は、「ただいま電話にでることができません。」、「電波の届かないところにおります。」「映画館にいるため、電話にでることができません。」、「電車で移動中です。」、「コンサート終了まで、お待ち下さい。」、「○○分後に、ご連絡します。」等、任意のメッセージ１３１を記憶している。当該複数のメッセージうち、後述する決定部１６２が決定したメッセージは、他の情報端末装置１０１から発信・送信された電話や電子メールを情報端末装置１００が受けた際に、他の情報端末装置１０１へ送信される。
【００２０】
また、記憶部１３０は、第２の通信部１２０を介して、電子機器１０２から受信した情報を記憶する。図４は、記憶部１３０に記憶される電子機器の情報１３２の例を示す。同図に示すように、例えば、記憶部１３０は、電子機器１０２の型番、電子機器１０２の設置場所、通信日時等を記憶する。この記憶された電子機器の情報１３２に基づいて、他の情報処理装置１０１に送信されるメッセージ１３１が決定される。
【００２１】
図１に戻って、表示部１４０は、例えば、ドットマトリクスタイプのＬＣＤ（Liquid Crystal Display）、もしくは、有機ＥＬパネル、及び、ドライバ回路等から構成され、任意の画像を適宜表示する。
【００２２】
受付部１５０は、ユーザからの指示を受け付けるための各種のキー、ボタン若しくはタッチパネル等を備え、制御部１６０によって処理される各種の指示やデータを受け付ける。
【００２３】
制御部１６０は、例えば、ＣＰＵ（Central Processing Unit）、ＲＯＭ（Read Only Memory）、ＲＡＭ（Random Access Memory）等から構成され、記憶部１３０に格納された動作プログラムに従って、情報処理装置１００全体の動作を制御する。また、制御部１６０は、例えば、ＲＴＣ（Real Time Clock）、タイマー等を備え、日時（年月日時分秒及び曜日を含む）を計時（カウント）することにより、カレンダーや時計として機能する。記憶部１３０に格納されている動作プログラムを実行することで、制御部１６０は、分類部１６１、決定部１６２などとして機能する。以下に制御部１６０の各構成要素について説明する。
【００２４】
分類部１６１は、第２の通信部１２０が通信を行った電子機器１０２の種類を特定し、分類する。具体的には、分類部１６１は、電子機器１０２から受信され、記憶部１３０に記憶される電子機器の情報１３２に基づいて、通信が行われた電子機器１０２の種類を特定する。例えば、分類部１６１は、電子機器１０２の型番や、電子機器１０２の設置場所から、電子機器１０２の種類が、電車等の交通機関の入場／退場を検出する機器（以下、交通機関用の機器）、映画館やコンサート会場への入場許可を検出する機器（以下、入場用の機器）、会社の入場／退場を検出する機器（以下、会社用の入退室機器）、もしくは、電子マネー支払い機能を備える端末機器（以下、電子マネー用の機器）等のいずれに属するかを判別し、分類する。
【００２５】
決定部１６２は、分類された電子機器１０２の種類、及び／又は、当該電子機器１０２の設置場所に基づいて、記憶部１３０に記憶される複数のメッセージ１３１のうち、他の情報処理装置１０１に送信されるメッセージ１３１を決定する。決定部１６２は、例えば、図５に示される対応表に基づいて、メッセージ１３１を決定する。ここで、対応表とは、電子機器１０２の種類や電子機器の情報１３２（例えば、設置場所）と、送信されるメッセージと、が互いに対応付けられて複数記憶された表であり、決定部１６２がメッセージ１３１を決定するために用いる表である。決定部１６２は、図５に示される対応表において、分類部１６１により分類された電子機器１０２の種類が一致する、対応表上の電子機器の種類を判別し、当該電子機器の種類に対応するメッセージ１３１を決定する。また、決定部１６２は、電子機器１０２の設置場所が一致する、対応表上の設置場所を判別し、当該設置場所に対応するメッセージ１３１を決定する。
【００２６】
次に、本実施形態の情報処理装置１００にて実行されるメッセージの決定処理について説明する。図６は、メッセージの決定処理の流れを示すフローチャートである。以下、本図を参照して説明する。
【００２７】
情報処理装置１００は、電源が投入されると、当該メッセージの決定処理を開始する。まず、第２の通信部１２０は、情報処理装置１００と電子機器１０２との間で、通信が行われたか否かを判別する（Ｓ１０１）。情報処理装置１００と電子機器１０２との間で通信が行われると、第２の通信部１２０は、電子機器１０２から電子機器の情報１３２を受信する。
【００２８】
通信が行われていない場合（ステップＳ１０１；Ｎｏ）、第２の通信部１２０は、情報処理装置１００と電子機器１０２との間で通信が行われるまで待機し、通信が行われたか否かを再び判別する（Ｓ１０１）。情報処理装置１００と電子機器１０２との間で通信が行われていない場合、電子機器の情報１３２を受信するまで、第２の通信部１２０は待機することとなる。
【００２９】
通信が行われた場合（ステップＳ１０１；Ｙｅｓ）、分類部１６１は、第２の通信部１２０を介して受信された電子機器の情報１３２に基づいて、通信が行われた電子機器１０２の種類を分類する（ステップＳ１０２）。具体的には、分類部１６１は、電子機器の情報１３２に含まれる電子機器１０２の型番と、電子機器１０２の種類と、が対応付けられた対応情報、及び／又は、電子機器の情報１３２に含まれる電子機器１０２の設置場所と、電子機器１０２の種類と、が対応付けられた対応情報を参照して、電子機器１０２の種類を分類する。図７Ａは、電子機器１０２の型番と電子機器１０２の種類とが対応付けられた対応情報の例を示し、図７Ｂは、電子機器１０２の設置場所と電子機器１０２の種類とが対応付けられた対応情報の例を示す。例えば、電子機器１０２の型番が「ＡＢＣ」の場合、分類部１６１は、図７Ａの対応情報を参照することにより、電子機器１０２の種類を「交通機関用の機器」と分類する。また、電子機器１０２の設置場所が「映画館」の場合、分類部１６１は、図７Ｂの対応情報を参照することにより、電子機器１０２の種類を「入場用の機器」と分類する。
【００３０】
次に、決定部１６２は、電子機器１０２の種類とメッセージ１３１との対応表を参照して、分類部１６１により分類された電子機器１０２の種類に対応するメッセージ１３１があるか否かを判別する（ステップＳ１０３）。そして、対応したメッセージ１３１がある場合（ステップＳ１０３；Ｙｅｓ）、決定部１６２は、当該電子機器１０２の種類に対応したメッセージ１３１を決定する（ステップＳ１０４）。
【００３１】
例えば、分類された電子機器１０２の種類が「交通機関用の機器」の場合、決定部１６２は、記憶部１３０に記憶される対応表（図５）を参照して、「電車で移動中です。」というメッセージ１３１を、他の情報処理装置１０１へ送信するメッセージ１３１、又は、自動再生を行うメッセージ１３１として決定する。
【００３２】
また、決定部１６２は、電子機器１０２の種類だけでなく、電子機器１０２の設置場所を加えた２つ条件に基づいて、複数のメッセージ１３１から１つのメッセージを決定することもできる。例えば、電子機器１０２の種類が「入場用の機器」であり、かつ、電子機器１０２の設置場所が「コンサート会場」である場合、決定部１６２は、図５を参照して、２つの条件が一致する、「コンサート終了までお待ち下さい。」というメッセージ１３１を決定することもできる。
【００３３】
また、決定部１６２は、電子機器１０２の種類と、電子機器１０２の設置場所と、のいずれか一方が一致するメッセージ１３１を決定することもできる。そして、決定されたメッセージ１３１が複数ある場合、決定部１６２は、表示部１４０を制御して、当該複数のメッセージ１３１を表示して、受付部１５０を介してユーザが選択したメッセージ１３１を、他の情報処理装置１０１へ送信するメッセージ１３１として決定することもできる。例えば、図５において、電子機器１０２の種類が「電子マネー用の機器」である、又は、電子機器１０２の設置場所が「地下」である場合、一致するメッセージ１３１は、「ただいま電話にでることができません。」、「電波の届かないところにおります。」、「○○分後に、ご連絡します。」となる。この場合、決定部１６２は、これらの複数のメッセージ１３１を表示することにより、ユーザに対してメッセージを選択するよう促すこともできる。
【００３４】
対応するメッセージ１３１がない場合（ステップＳ１０３；Ｎｏ）、決定部１６２は、表示部１４０を制御して、複数のメッセージ１３１を表示して、当該表示した複数のメッセージ１３１からユーザが選択したメッセージ１３１を、他の情報処理装置１０１へ送信するメッセージ１３１として決定する。
【００３５】
次に、第１の通信部１１０は、他の情報処理装置１０１から情報処理装置１００へ発信された電話を着信したか否か、又は、他の情報処理装置１０１から情報処理装置１００へ送信された電子メールを受信したか否かを判別する（ステップＳ１０６）。
【００３６】
電話を着信していない、又は、電子メールを受信していない場合（ステップＳ１０６；Ｎｏ）、第１の通信部１１０は、他の情報処理装置１０１からの電話を着信するまで、又は、他の情報処理装置１０１からの電子メールを受信するまで待機し、電話を着信したか、また、電子メールを受信したかを再び判別する（Ｓ１０６）。
【００３７】
一方、電話を着信した場合（ステップＳ１０６；Ｙｅｓ（着信））、第１の通信部１１０は、ステップＳ１０４又はＳ１０５において決定されたメッセージ１３１を再生し（ステップＳ１０７）、本処理は終了する。他の情報処理装置１０１から情報処理装置１００へ電話がかけられた際に、情報処理装置１００が通信を行った電子機器１０２の種類や設置場所に基づいて決定されたメッセージ１３１が、他の情報処理装置１０１にて再生されるため、他の情報処理装置１０１のユーザは、当該メッセージ１３１を聞くことにより、情報処理装置１００のユーザがどのような状態にあるのかを知ることができる。
【００３８】
また、電子メールを受信した場合（ステップＳ１０６；Ｙｅｓ（受信））、第１の通信部１１０は、ステップＳ１０４又はＳ１０５において決定されたメッセージ１３１を、他の情報処理装置１０１へ送信し（ステップＳ１０８）、本処理は終了する。他の情報処理装置１０１から情報処理装置１００へ電子メールが送信されると、情報処理装置１００が通信を行った電子機器１０２の種類や設置場所に基づいて決定されたメッセージ１３１が、他の情報処理装置１０１に返信されるため、他の情報処理装置１０１のユーザは、当該送信されたメッセージ１３１を見ることにより、情報処理装置１００のユーザがどのような状態にあるのかを知ることができる。
【００３９】
以上の処理により、非接触式ＩＣカード機能が利用された機器の種類や場所に応じて、適切なメッセージを発信することができる。また、他の情報処理装置１０１のユーザに対して適切なメッセージが自動的に発信されるため、情報処理装置１００のユーザの利便性を高めることができる。
【００４０】
（実施形態２）
実施形態１に係る情報処理装置１００では、第２の通信部１２０が通信を行った電子機器１０２の種類や設置場所に基づいて、他の情報処理装置１０１に送信するメッセージ１３１を決定する場合について説明した。本実施形態では、第２の通信部１２０が通信を行った電子機器１０２の種類や設置場所に加え、他の情報処理装置１０１を特定することにより、メッセージ１３１を決定する方法を説明する。なお、実施形態１に係る情報処理装置１００と同様の構成、動作については、説明を適宜省略する。
【００４１】
図８は、本発明の実施形態２に係る情報処理装置の構成を示すブロック図である。情報処理装置２００は、第１の通信部１１０、第２の通信部１２０、記憶部１３０、表示部１４０、受付部１５０、並びに、分類部１６１、決定部１６２及び装置特定部１６３を有する制御部１６０等を備える。情報処理装置２００が備える、第１の通信部１１０、第２の通信部１２０、表示部１４０、及び、受付部１５０は、実施形態１に係る情報処理装置１００が備えるものと同様であるため説明を省略する。以下では、記憶部１３０と決定部１６２と装置特定部１６３とを中心に説明する。
【００４２】
記憶部１３０は、他の情報処理装置１０１の電話番号や電子メールアドレスを記憶する。他の情報処理装置１０１の電話番号や電子メールアドレスは、情報処理装置１００に対して、電話を発信した、もしくは、電子メールを送信した他の情報処理装置１０１を、後述する装置特定部１６３が特定する際に、利用される。図９は、実施形態２に係る対応表の例を示す図である。同図に示すように、電子機器１０２の種類と、電子機器１０２の設置場所と、他の情報処理装置１０１の装置名と、メッセージ１３１と、が互いに対応付けられて複数記憶されている。
【００４３】
図８に戻って、決定部１６２は、装置特定部１６３が特定した他の情報処理装置１０１、及び、分類部１６１が分類した電子機器１０２の種類に基づいて、他の情報処理装置１０１へ送信するメッセージ１３１を決定する。
【００４４】
装置特定部１６３は、第１の通信部１１０を介して通信を行った、他の情報処理装置１０１を特定する。具体的には、情報処理装置１００に電話を発信した、もしくは、情報処理装置１００に電子メールを送信した、他の情報処理装置１０１がいずれであるかを特定する。装置特定部１６３は、記憶部１３０に記憶される電話番号又は電子メールアドレスと、電話の発信、もしくは、電子メールの送信を行った他の情報処理装置１０１の電話番号又は電子メールアドレスと、が一致するか否かを判別することにより、他の情報処理装置１０１を特定する。
【００４５】
次に、本実施形態の情報処理装置２００にて実行されるメッセージの決定処理について説明する。図１０は、実施形態２に係るメッセージの決定処理の流れを示すフローチャートである。以下、本図を参照して説明する。
【００４６】
ここで、実施形態２に係るメッセージの決定処理における、ステップＳ２０１〜Ｓ２０２は、実施形態１に係るステップＳ１０１〜Ｓ１０２と同様の動作が行われるため説明を省略する。
【００４７】
第１の通信部１１０は、他の情報処理装置１０１から情報処理装置１００へ発信された電話、もしくは、送信された電子メールを、着信・受信したか否かを判別する（ステップＳ２０３）。
【００４８】
電話を着信、又は、電子メールを受信していない場合（ステップＳ２０３；Ｎｏ）、第１の通信部１１０は、他の情報処理装置１０１からの電話を着信するまで、又は、他の情報処理装置１０１からの電子メールを受信するまで待機し、電話を着信したか、また、電子メールを受信したかを再び判別する（Ｓ２０３）。
【００４９】
電話を着信した、又は、電子メールを受信した場合（ステップＳ２０３；Ｙｅｓ）、装置特定部１６３は、着信した電話が示す電話番号、もしくは、受信した電子メールが示す電子メールアドレスが、記憶部１３０に記憶されているか否かを判別することにより、電話を発信した、もしくは、電子メールを送信した他の情報処理装置１０１を特定する（ステップＳ２０４）。
【００５０】
次に、決定部１６２は、他の情報処理装置１０１の装置名と、電子機器１０２の種類と、メッセージ１３１との対応表を参照して、装置特定部１６３により特定された他の情報処理装置１０１、及び、分類部１６１により分類された電子機器１０２の種類に対応するメッセージ１３１があるか否かを判別する（ステップＳ２０５）。
【００５１】
例えば、特定された他の情報処理装置１０１の装置名が「装置Ａ」であり、分類された電子機器１０２の種類が「入場用の機器」である場合、決定部１６２は、記憶部１３０に記憶される対応表（図９）を参照して、「映画館にいるため、電話にでることができません。」というメッセージ１３１を、他の情報処理装置１０１へ送信するメッセージ１３１、又は、自動再生を行うメッセージ１３１として決定する。
【００５２】
また、決定部１６２は、他の情報処理装置１０１の装置名、電子機器１０２の種類だけでなく、電子機器１０２の設置場所を加えた３つ条件に基づいて、複数のメッセージ１３１から１つのメッセージ１３１を決定することもできる。また、決定部１６２は、他の情報処理装置１０１の装置名と、電子機器１０２の種類と、電子機器１０２の設置場所と、のいずれか１つ又は２つが一致するメッセージ１３１を決定することもできる。
【００５３】
実施形態２に係るメッセージの決定処理における、ステップＳ２０６〜Ｓ２１０は、実施形態１に係るステップＳ１０４〜Ｓ１０８と同様の動作が行われるため説明を省略する。
【００５４】
以上の処理により、非接触式ＩＣカード機能が利用された機器の種類や場所、及び、電話・電子メールを発信・送信した他の情報処理装置に応じて、適切なメッセージを発信することができる。また、他の情報処理装置１０１のユーザに対して適切なメッセージが自動的に発信されるため、情報処理装置１００のユーザの利便性を高めることができる。
【００５５】
なお、本発明は上記の実施形態に限定されず、種々の変形及び応用が可能である。
【００５６】
第２の通信部１２０は、例えば、ＩＥＥＥ（the Institute of Electrical and Electronic Engineers）８０２．１１ｂ、ＩＥＥＥ８０２．１１ｇ、ＩＥＥＥ８０２．１１ｎ規格等の無線ＬＡＮ（Local Area Network）、赤外線通信、ＲＦＩＤ、Bluetooth（登録商標）等の通信方式により、電子機器との間で通信を行うこともできる。
【００５７】
記憶部１３０は、ユーザから入力された音声及び／又は文字から構成されるメッセージ１３１を記憶することもできる。例えば、ユーザが、受付部１５０１を介して入力した文字を、メッセージ１３１として記憶することもできる。また、ユーザが、マイクを介して入力した音声を、メッセージ１３１として記憶することもできる。
【００５８】
また、記憶部１３０は、ユーザが設定した対応情報を記憶することもできる。また、第１の通信部１１０が、基地局と情報処理装置１００との間で無線通信を行うことにより、当該対応情報を受信し、当該受信した対応情報を、記憶部１３０が記憶することもできる。
【００５９】
決定部１６２は、時計やタイマーとして機能する制御部１６０と協働して、映画やコンサートが終了する時間を求めて、当該時間を含むメッセージ１３１を、他の情報処理装置１０１に送信するメッセージ１３１として決定することもできる。例えば、第２の通信部１２０が、情報処理装置１００と電子機器１０２との間で通信を行うことにより、コンサート会場への入場許可を検出し、当該コンサート会場への入場が許可された場合を考える。第２の通信部１２０は、入場の許可に加えて、当該コンサート会場で上演されるコンサートの開始時間（ここでは、「１８時」とする）及び終了時間（ここでは、「２１時」とする）を受信したとする。決定部１６２は、電子機器１０２の種類が入場用の機器であり、かつ、電子機器１０２の設置場所がコンサート会場であるため、例えば、「コンサートが終了するまでお待ち下さい。」というメッセージ１３１を、他の情報処理装置１０１へ送信するメッセージ１３１として決定する。このとき、他の情報処理装置１０１から情報処理装置１００に電子メールが送信されて、情報処理装置１００が電子メールを２０時に受信した場合、決定部１６２は、時計やタイマーとして機能する制御部１６０と協働して、コンサートが終了するまでの時間（ここでは、２１時−２０時＝１時間）を求め、「コンサートが終了するまでお待ち下さい。１時間後にご連絡します。」というメッセージ１３１を、送信するメッセージ１３１として決定することもできる。
【００６０】
分類部１６１は、電子機器１０２の種類を、優先度順に分類することもできる。例えば、分類部１６１は、「入場用の機器」＞「交通機関用の機器」＞「会社用の入退室機器」＞「電子マネー用の機器」の順番に、電子機器１０２の種類を分類する。そして、決定部１６２は、対応するメッセージ１３１が複数ある場合、当該優先度が最も高い機器に対応するメッセージ１３１を、他の情報処理装置１０１へ送信するメッセージ１３１として決定することもできる。また、決定部１６２は、表示部１４０を制御して、当該優先度が高い順に、複数のメッセージ１３１を表示することもできる。なお、当該優先度の順番は、任意である。
【００６１】
また、第２の通信部１２０が、情報処理装置１００と電子機器１０２との間で再び通信を行った場合、決定部１６２は、他の情報処理装置１０１へ送信するメッセージ１３１を変更することもできる。例えば、第２の通信部１２０が、情報処理装置１００と電子機器１０２との間で通信を行って、交通機関への入場許可を検出した場合、決定部１６２は、例えば、「電車で移動中です。」というメッセージ１３１を、他の情報処理装置１０１へ送信するメッセージ１３１として決定する。その後、第２の通信部１２０が、情報処理装置１００と電子機器１０２との間で再び通信を行って、交通機関からの退場許可を検出した場合、決定部１６２は、例えば、「しばらくお待ち下さい。」というメッセージ１３１を、他の情報処理装置１０１へ送信するメッセージ１３１として決定することもできる。
また、第２の通信部１２０が通信を行って、所定の時間が経過した場合、決定部１６２は、他の情報処理装置１０１へ送信するメッセージ１３１を、変更することもできる。なお、当該所定の時間は、任意である。
【００６２】
その他、前記のハードウエェア構成やフローチャートは一例であり、任意に変更および修正が可能である。
【００６３】
第１の通信部１１０、第２の通信部１２０、記憶部１３０、表示部１４０、受付部１５０、制御部１６０などから構成される情報処理装置１００、２００の処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する情報処理装置１００、２００を構成してもよい。また、インターネット等の通信ネットワーク上のサーバ装置が有する記憶装置に当該コンピュータプログラムを格納しておき、通常のコンピュータシステムがダウンロード等することで情報処理装置１００、２００を構成してもよい。
【００６４】
また、情報処理装置１００、２００の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００６５】
また、搬送波にコンピュータプログラムを重畳し、通信ネットワークを介して配信することも可能である。たとえば、通信ネットワーク上の掲示板（BBS; Bulletin Board System）に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【００６６】
上記の実施形態の一部または全部は、以下の付記のようにも記載されうるが、以下には限られない。
【００６７】
（付記１）通信網を介して、他情報処理装置との通信を行う第１の通信部と、電磁誘導により、電子機器との通信を行う第２の通信部と、前記第２の通信部が通信を行った電子機器の種類を分類する分類部と、前記分類された電子機器の種類に基づいて、複数記憶されたメッセージから前記他情報処理装置へ送信するメッセージを決定する決定部と、を備える、ことを特徴とする情報処理装置。
【００６８】
（付記２）前記第１の通信部が通信した他情報処理装置を特定する装置特定部をさらに備え、前記決定部は、前記分類された電子機器の種類と、前記特定された他情報処理装置と、に基づいて、当該他情報処理装置へ送信するメッセージを決定する、ことを特徴とする付記１に記載の情報処理装置。
【００６９】
（付記３）前記分類部は、前記第２の通信部が通信を行った電子機器の種類を、優先度順に分類し、前記決定部は、前記分類された優先度に基づいて、前記他情報処理装置へ送信するメッセージを決定する、ことを特徴とする付記１又は２に記載の情報処理装置。
【００７０】
（付記４）前記第２の通信部が前記電子機器と再び通信を行った場合、若しくは、所定の時間が経過した場合、前記決定部は、前記他情報処理装置へ送信するメッセージを変更する、ことを特徴とする付記１乃至３のいずれか１項に記載の情報処理装置。
【００７１】
（付記５）通信網を介して、他情報処理装置との通信を行う第１の通信工程と、電磁誘導により、電子機器との通信を行う第２の通信工程と、前記第２の通信工程により通信が行われた電子機器の種類を分類する分類工程と、前記分類された電子機器の種類に基づいて、複数記憶されたメッセージから前記他情報処理装置へ送信するメッセージを決定する決定工程と、を備える、ことを特徴とする情報処理方法。
【００７２】
（付記６）コンピュータを、通信網を介して、他情報処理装置との通信を行う第１の通信部、電磁誘導により、電子機器との通信を行う第２の通信部、前記第２の通信部が通信を行った電子機器の種類を分類する分類部、前記分類された電子機器の種類に基づいて、複数記憶されたメッセージから前記他情報処理装置へ送信するメッセージを決定する決定部、として機能させる、ことを特徴とするプログラム。
【符号の説明】
【００７３】
１００、２００  情報処理装置
１１０  第１の通信部
１２０  第２の通信部
１３０  記憶部
１４０  表示部
１５０  受付部
１６０  制御部
１６１  分類部
１６２  決定部
１６３  装置特定部
１０１  他の情報処理装置
１０２  電子機器
【図１】
0005681852.tif 000002
【図２】
0005681852.tif 000003
【図３】
0005681852.tif 000004
【図４】
0005681852.tif 000005
【図５】
0005681852.tif 000006
【図６】
0005681852.tif 000007
【図７Ａ】
0005681852.tif 000008
【図７Ｂ】
0005681852.tif 000009
【図８】
0005681852.tif 000010
【図９】
0005681852.tif 000011
【図１０】
0005681852.tif 000012